(57)【要約】【課題】パッドの幅やストリップの幅を変えずに、コネクタ間の距離を維持した状態で、コネクタ間のピッチを縮小できるコネクタ構造、およびこれを備えたマトリクス型ディスプレイパネル、マトリクス型ディスプレイを提供する。【解決手段】コネクタ構造２３ａは、Ｌ字状のコネクタ５、６、７から構成されている。第１コネクタ５は、パッド１１０と、ストリップ５１とから構成されている。また、第２コネクタ６は、パッド１１０と、ストリップ６１とから構成されており、パッド１１０とストリップ６１との間に、第１コネクタ５の突出側５ａが、所定の間隔Ｗ２、Ｗ４を開けて入るように配置されている。また、第３コネクタ７は、パッド１１０と、ストリップ７１とから構成されており、パッド１１０とストリップ７１との間に、第２コネクタ６の突出側６ａが、所定の間隔Ｗ２、Ｗ４を開けて入るように配置されている。【選択図】図３
2007041606.tif 000002
【特許請求の範囲】
【請求項１】
少なくとも二つのコネクタを一組にして配置されるコネクタ構造において、
前記各コネクタを、略矩形状のパッドと、このパッドの一側面の一端部から垂直に延出したストリップとにより略Ｌ字状に形成するとともに、それぞれ同じ方向に向いた状態で、前記各コネクタのパッドとストリップとの間に、隣接されるコネクタの突出側が、所定の間隔を開けて入るように配置したことを特徴とするコネクタ構造。
【請求項２】
表示部に設けられた複数のゲートラインの一端部に設けられるゲートライン側のコネクタ構造および、複数のデータラインの一端部に設けられるデータライン側のコネクタ構造の少なくとも一方に、請求項１または請求項２記載のコネクタ構造を用いたことを特徴とするマトリクス型ディスプレイ用パネル。
【請求項３】
請求項２記載のマトリクス型ディスプレイ用パネルにおいて、ゲートドライバをゲートドライバ側のコネクタ構造を介してゲートラインに電気的に接続し、データドライバをデータドライバ側のコネクタ構造を介してデータラインに電気的に接続して構成したことを特徴とするマトリクス型ディスプレイ。
【発明の詳細な説明】
【技術分野】
【０００１】
本発明は、液晶ディスプレイ等に使用されるコネクタ構造およびこれを備えたマトリクス型ディスプレイパネル、マトリクス型ディスプレイに関する。
【背景技術】
【０００２】
従来、マトリクス型ディスプレイにおいては、ディスプレイパネルと駆動回路とを電気的に接続するために多くのコネクタが使用されている。図１１は、従来の液晶ディスプレイ１０１の模式図である。この液晶ディスプレイ１０１は、周知のように、ディスプレイパネル１０２と、駆動回路とを中心にして構成されている。
【０００３】
ディスプレイパネル１０２は、ガラス基板１２１と、表示部１２２と、二つの外部接続部１２３とを備えている。表示部１２２は、ガラス基板１２１上に設けられている。また、この表示部１２２には、図１２に示すように、横方向に複数のゲートラインＧが設けられ、縦方向に複数のデータラインＤが設けられている。そして双方のラインＤ、Ｇによって、この表示部１２２には、複数の画素１２２ａがマトリクス状に形成されている。
【０００４】
また、外部接続部１２３は、図１３に示すように、複数のコネクタ構造１２３ａから構成されている。各コネクタ構造１２３ａは、二つの凸字状のコネクタ１２４、１２５から構成されており、双方のコネクタ１２４、１２５は、各データラインＤの一端部、各ゲートラインＧの一端部にそれぞれ設けられている。
【０００５】
第１コネクタ１２４は、図１４に示すように、長方形状のパッド１１０と、ストリップ１２４ａとから構成されている。このストリップ１２４ａは、パッド１１０の一側面１１０ａの中央側から垂直に延出して形成されている。
【０００６】
また、第２コネクタ１２５は、パッド１１０と、ストリップ１２５ａとから構成されている。このストリップ１２５ａは、パッド１１０の一側面１１０ａの中央側から垂直に延出しており、第１コネクタ１２４のストリップ１２４ａよりも短く形成されている。
【０００７】
そして、第２コネクタ１２５は、第１コネクタ１２４と同じ方向に向いた状態で、第１コネクタ１２４のパッド１１０とストリップ１２４ａとの間に、左右の一方側が所定の間隔Ｗ２、Ｗ４を開けて入るように配置されている。そして、このように構成された複数のコネクタ構造１２３ａは、同じ方向を向いた状態で、所定の間隔Ｗ２を開けて並列されている。
【０００８】
また、パッド１１０の幅をＷ１、パッド１１０の長さをＷ５、隣接するパッド１１０、１１０間の間隔をＷ４、各ストリップ１２４ａ、１２５ａの幅をＷ３、コネクタ１２４、１２５間の距離をＷ２とした場合に、コネクタ１２４、１２５間のピッチＰの値は、下記の式より得られる。
【０００９】
【数１】
2007041606.tif 000003
【００１０】
ここで、パッド１１０のスーパーインポーズプロセスの機械公差によって、コネクタ１２４、１２５間で最小限許容できる距離Ｗ２は約７μｍである。例えば、Ｗ１が２３μｍ、Ｗ２が７μｍ、Ｗ３が５μｍの場合には、ピッチＰは２１μｍとなる。
【００１１】
一方、駆動回路は、表示部を駆動させるものであり、ゲートドライバ１０３とデータドライバ１０４とから構成されている。そして、図１１や図１３に示すように、双方のドライバ１０３、１０４の底面には、表示部１２２側の各パッド１２６と対応する位置に、外部と電気的に接続するためのパッド１１１がそれぞれ設けられている。
【００１２】
そして、双方のドライバ１０３、１０４は、図１１に示すように、チップオンガラス（ＣＯＧ）プロセスによって、ガラス基板１２１上で、表示部１２２に接続して設けられている。具体的に説明すると、双方のドライバ１０３、１０４は、各パッド１１０を、表示部１２２側の対応するパッド１１１に重ねて接着させている。
【００１３】
これにより、ゲートドライバ１０３は、ドライバ１０３側の各パッド１１１と、対応する表示部１２２側のパッド１１０およびストリップ１２４ａ、１２５ａとを介して、各ゲートラインＧ（図１２参照）に電気的に接続されている。また、データドライバ１０４は、ドライバ１０４側のパッド１１１と、表示部１２２側のパッド１１０と、ストリップ１２４ａ、１２５ａとを介して、各データラインＤ（図１２参照）に電気的に接続されている。
【００１４】
また、双方のドライバ１０３、１０４は、それぞれ、接続線１０５と、フレキシブルプリント回路板１０６とを介してプリント回路板１０７に接続されている。
【特許文献１】特開平５−０６２９７８号公報
【特許文献２】特開平３−０９７２３８号公報
【特許文献３】特開２００３−０５７６７７号公報
【発明の開示】
【発明が解決しようとする課題】
【００１５】
しかしながら、従来の液晶ディスプレイ１０１において、ディスプレイパネル１０２の大きさを変えずに解像度を上げる、すなわち画素１２２ａ数を増加する場合には、データラインＤの本数およびゲートラインＧの本数を増やさなければならない。またこれに伴い、コネクタ１２４、１２５間のピッチＰを大幅に縮小しなければならない。
【００１６】
これを解決するために、パッド１１０の面積（Ｗ１×Ｗ５）を縮小してパッド１１０の幅Ｗ１を縮小する方法がある。しかし、パッド１１０、１１１間の電気接続性の低下を防ぐために、パッド１１０の面積が少なくとも２０００μｍ２以上でなければならない。したがって、パッド１１０の面積の縮小幅に限界があるので解像度を十分に上げることができない。また、各ストリップ１２６、１２７の幅Ｗ３を縮小する方法も考えられるが、各コネクタ１２４、１２５とパッド１２６との電気接続性が低下するおそれがある。
【００１７】
このように、従来のコネクタ構造１２３ａにおいては、パッド１１０の幅Ｗ１やストリップ１２６、１２７の幅Ｗ３を変えずに、コネクタ１２４、１２５間の距離Ｗ２を維持した状態で、コネクタ１２４、１２５間のピッチＰを縮小することは難しかった。
【００１８】
本発明は、かかる従来の課題に鑑みてなされたものであり、パッドの幅やストリップの幅を変えずに、コネクタ間の距離を維持した状態で、コネクタ間のピッチを縮小できるコネクタ構造、およびこれを備えたマトリクス型ディスプレイパネル、マトリクス型ディスプレイを提供することを目的とする。
【課題を解決するための手段】
【００１９】
前記課題を解決するために、本発明のコネクタ構造においては、少なくとも二つのコネクタを一組にして配置されるコネクタ構造において、前記各コネクタを、略矩形状のパッドと、このパッドの一側面の一端部から垂直に延出したストリップとにより略Ｌ字状に形成するとともに、それぞれ同じ方向に向いた状態で、前記各コネクタのパッドとストリップとの間に、隣接されるコネクタの突出側が所定の間隔を開けて入るように配置したことを特徴としている。
【００２０】
また、本発明のマトリクス型ディスプレイ用パネルにおいては、表示部に設けられた複数のゲートラインの一端部に設けられるゲートライン側のコネクタ構造および、複数のデータラインの一端部に設けられるデータライン側のコネクタ構造の少なくとも一方に、本発明のコネクタ構造を用いたことを特徴としている。
【００２１】
また、本発明のマトリクス型ディスプレイにおいては、本発明のマトリクス型ディスプレイ用パネルにおいて、ゲートドライバをゲートドライバ側のコネクタ構造を介してゲートラインに電気的に接続し、データドライバをデータドライバ側のコネクタ構造を介してデータラインに電気的に接続して構成したことを特徴としている。
【発明の効果】
【００２２】
本発明のコネクタ構造では、各コネクタを略Ｌ字状に形成したことにより、コネクタの形状が凸字状の場合に比べて、隣接するパッドの重なり幅が増加するようにした。よって、本発明のコネクタ構造は、パッドの幅とストリップの幅を変えずに、コネクタ間の距離を維持した状態で、コネクタ間のピッチを縮小できる。
【００２３】
また、本発明のマトリクス型ディスプレイ用パネルでは、本発明のコネクタ構造を用いたことにより、パネルの大きさを変えずにコネクタ間のピッチを縮小することが可能になる。よって、本発明のマトリクス型ディスプレイ用パネルは、パネルの大きさを変えずにデータラインの本数とゲートラインの本数を増やすことができる。
【００２４】
また、本発明のマトリクス型ディスプレイでは、本発明のコネクタ構造を備えたマトリクス型ディスプレイ用パネルを用いたことにより、パネルの大きさを変えずに、データラインの本数およびゲートラインの本数を増加させることが可能になる。よって、本発明のマトリクス型ディスプレイでは、パネルの大きさを変えずに解像度を上げることができる。
【発明を実施するための最良の形態】
【００２５】
本発明についての目的、特徴、長所が一層明確に理解されるよう、以下に実施の形態を例示し、図面を参照にしながら詳細に説明する。
【００２６】
第１の実施の形態：
図１は、本発明の第１の実施の形態を示す液晶ディスプレイ１の模式図である。なお、本実施の形態の液晶ディスプレイ１において、従来の液晶ディスプレイ１０１（図１１〜図１４参照）と同じ部分には同じ符号を付し、異なる部分を中心にして説明する。本実施の形態の液晶ディスプレイ１は、ディスプレイパネル２と、駆動回路とを中心にして構成されている。
【００２７】
ディスプレイパネル２は、ガラス基板１２１と、表示部１２２と、二つの外部接続部２３とを備えている。この外部接続部２３は、図２に示すように、複数のコネクタ構造２３ａから構成されている。各コネクタ構造２３ａは、三つのＬ字状のコネクタ５、６、７から構成されており、これらのコネクタ５、６、７は、各データラインＤの一端部、各ゲートラインＧの一端部にそれぞれ設けられている。
【００２８】
第１コネクタ５は、図３に示すように、パッド１１０と、ストリップ５１とから構成されている。このストリップ５１は、パッド１１０の一側面１１０ａの一端部側から垂直に延出して形成されている。また、このストリップ５１の幅Ｗ３は、従来のコネクタ１２４、１２５のストリップ１２４ａ、１２５ａ（図１４参照）の幅Ｗ３と同じに設定されている。
【００２９】
また、第２コネクタ６は、パッド１１０と、ストリップ６１とから構成されている。このストリップ６１は、パッド１１０の一側面１１０ａの一端部側から垂直に延出しており、第１コネクタ５のストリップ５１よりも長く形成されている。また、このストリップ６１の幅Ｗ３は、第１コネクタ５のストリップ５１の幅Ｗ３と同じに設定されている。
【００３０】
そして、第２コネクタ６は、第１コネクタ５と同じ方向に向いた状態で、パッド１１０とストリップ６１との間に、第１コネクタ５の突出側５ａが、所定の間隔Ｗ２、Ｗ４を開けて入るように配置されている。なお、これらの間隔Ｗ２、Ｗ４は、従来のコネクタ構造で示した間隔Ｗ２、Ｗ４（図１４参照）と同じに設定されている。さらに、ストリップ６１は、第１コネクタ５と第２コネクタ６とが配置された状態で、その先端６１ａが、第１コネクタ５のストリップ５１の先端５１ａと揃うように形成されている。
【００３１】
また、第３コネクタ７は、パッド１１０と、ストリップ７１とから構成されている。このストリップ７１は、パッド１１０の一側面１１０ａの一端部側から垂直に延出しており、第２コネクタ６のストリップ６１よりも長く形成されている。また、このストリップ６１の幅Ｗ３は、第１コネクタ５のストリップ５１の幅Ｗ３と同じに設定されている。
【００３２】
そして、第３コネクタ７は、第２コネクタ６と同じ方向に向いた状態で、パッド１１０とストリップ７１との間に、第２コネクタ６の突出側６ａが所定の間隔Ｗ２、Ｗ４を開けて入るように配置されている。なお、これらの間隔Ｗ２、Ｗ４は、第１コネクタ５と第２コネクタとの間隔Ｗ２、Ｗ４と同じに設定されている。さらに、ストリップ７１は、第２のコネクタ６と第３のコネクタ７とが配置された状態で、その先端７１ａが、第２コネクタ６のストリップ６１の先端６１ａと揃うように形成されている。
【００３３】
そして、このように構成された複数のコネクタ構造２３ａは、同じ方向を向いた状態で所定の間隔Ｗ２を開けて並列されている。
【００３４】
一方、駆動回路は、表示部１２２を駆動させるものであり、図１に示すように、ゲートドライバ３とデータドライバ４とから構成されている。そして、図２に示すように双方のドライバ３、４の底面には、表示部１２２側の各パッド１１０と対応する位置に、それぞれパッド１１１が設けられている。
【００３５】
そして、双方のドライバ３、４は、図１や図４に示すように、チップオンガラスプロセスにより、ガラス基板１２１上で、表示部１２２に電気的に接続して設けられている。具体的に説明すると、双方のドライバ３、４は、図５に示すように（ゲートドライバ３のみ図示）、各パッド１１１を、異方性導電膜等の導電性媒体１０を介して、表示部１２２側の対応する各パッド１１０に重ねて接着されている。
【００３６】
これにより、ゲートドライバ３は、ドライバ３側の各パッド１１１と、対応する表示部１２２側のパッド１１０およびストリップ５１ａ、６１ａ、７１ａとを介して、各ゲートラインＧ（図１２参照）に電気的に接続されている。また、データドライバ４は、ドライバ４側の各パッド１１１と、対応する表示部１２２側のパッド１１０およびストリップ１２４ａ、１２５ａとを介して、各データラインＤ（図１２参照）に電気的に接続されている。
【００３７】
かかる構成において、コネクタ５、６、７間のピッチＰの値は下記の式より得られる。
【数２】
2007041606.tif 000004
【００３８】
また、パッド１１０、１１０間の距離Ｗ２の値は下記の式より得られる。
【数３】
2007041606.tif 000005
【００３９】
ここで、従来のコネクタ構造１２３ａで説明した場合と同じように、Ｐ＝２１μｍ、Ｗ１＝２３μｍ、Ｗ３＝５μｍとすると、Ｗ２＝１０μｍとなる。したがって、本実施の形態のコネクタ構造２３ａにおいては、従来のコネクタ構造１２３ａに比べて、コネクタ５、６、７間の距離Ｗ２が、従来の７μｍから１０μｍに増加する。よって、許容できる機械公差が大きくなる。
【００４０】
一方、従来のコネクタ構造１２３ａにおいて、隣接するパッド１１０、１１０の重なり幅Ｗａ（図１４参照）の値は下記の式より得られる。
【数４】
2007041606.tif 000006
【００４１】
ここで、Ｗ１＝２３μｍ、Ｗ２＝７μｍ、Ｗ３＝５μｍとすると、Ｗａ＝２μｍとなる。
【００４２】
そして、本実施の形態のコネクタ構造２３ａにおいて、隣接するパッド１１０、１１０の重なり幅Ｗａ（図３参照）の値は下記の式より得られる。
【数５】
2007041606.tif 000007
【００４３】
ここで、Ｗ１＝２３μｍ、Ｗ２＝７μｍ、Ｗ３＝５μｍとすると、Ｗａ＝１１μｍとなるので、従来のコネクタ構造１２３ａにおける重なり幅Ｗａ（２μｍ）に比べて増加する。
【００４４】
そして、「数２」を用いてコネクタ５、６、７間のピッチＰを計算すると、Ｐ＝１８μｍになるので、従来のコネクタ構造１２３のピッチＰ（２１μｍ）よりも縮小でき、その縮小率は約１４％となる。
【００４５】
このように、本実施の形態のコネクタ構造２３ａにおいては、各コネクタ５、６、７を略Ｌ字状に形成したことにより、従来のコネクタ構造１２３ａのように、各コネクタ１２４、１２５の形状が凸字状の場合に比べて、隣接するパッド１１０、１１０の重なり幅Ｗａが増加する。よって、本実施の形態のコネクタ構造２３ａでは、パッドの幅Ｗ１とストリップの幅Ｗ３を変えなくても、コネクタ５、６、７間の距離を維持した状態で、コネクタ５、６、７間のピッチＰを縮小できる。
【００４６】
そして、本実施の形態のディスプレイパネル２は、本発明のコネクタ構造２３ａを用いたことにより、パネル２の大きさを変えずにコネクタ５、６、７間のピッチＰを縮小することが可能になるので、データラインＤの本数およびゲートラインＧの本数を増やすことができる。したがって、本実施の形態の液晶ディスプレイ１は、パネル２の大きさを変えなくても解像度を上げることができる。
【００４７】
なお、本実施の形態のコネクタ構造２３ａにおいては、三つのコネクタ５、６、７から構成したものとしたが、コネクタ構造を構成するコネクタの数をｎ（ｎ≧３）とした場合のピッチＰの値は下記の式より得られる。
【数６】
2007041606.tif 000008
【００４８】
例えば、コネクタ構造を構成するコネクタの数を４つにした場合のピッチＰの値は、下記の式より得られる。
【数７】
2007041606.tif 000009
【００４９】
ここで、Ｗ１＝２３μｍ、Ｗ２＝７μｍ、Ｗ３＝５μｍとすると、Ｐ＝１６．５μｍとなるので、従来のピッチ（２１μｍ）よりも縮小でき、縮小率は約２１％となる。したがって、４つ以上のコネクタを用いて、本実施の形態と同様なコネクタ構造を構成した場合でも、パッドの幅Ｗ１とストリップの幅Ｗ３を変えずに、コネクタ間の距離を維持した状態で、コネクタ間のピッチＰを縮小できる。
【００５０】
第２の実施の形態：
図６は、本発明の第２の実施の形態を示す液晶ディスプレイ２０１の模式図である。なお、本実施の形態の液晶ディスプレイ２０１において、従来の液晶ディスプレイ１０１（図１１〜図１４参照）や第１の実施の形態の液晶ディスプレイ１（図１〜図５参照）と同じ部分には同じ符号を付し、異なる部分を中心にして説明する。本実施の形態の液晶ディスプレイ２０１は、ディスプレイパネル２０２と、駆動回路とを中心にして構成されている。
【００５１】
ディスプレイパネル２０２は、ガラス基板１２１と、表示部１２２と、二つの外部接続部２２３とを備えている。この外部接続構造２２３は、図７にも示すように、第１の実施の形態で説明した複数のコネクタ構造２３ａから構成されている。そしてこれらのコネクタ構造２３ａは、面対称（鏡像関係）となるように、所定の間隔Ｗ２を開けて複数並列されている。
【００５２】
一方、駆動回路は、図６に示すように、ゲートドライバ１３とデータドライバ１４とから構成されている。そして、双方のドライバ１３、１４の底面には、表示部１２２側の各パッド８と対応する位置に、パッド１１１がそれぞれ設けられている。そして、双方のドライバ１３、１４は、第１の実施の形態と同様に、各パッド１１１を、異方性導電膜等の導電性媒体１０（図５参照）を介して、表示部１２２側の対応するパッド１１０に重ねて接着されている。
【００５３】
かかる構成において、本実施の形態のディスプレイパネル２０２は、第１の実施の形態と同様のコネクタ構造２３ａを用いたことにより、パネル２０２の大きさを変えずに、データラインＤの本数およびゲートラインＧの本数を増やすことができる。したがって、本実施の形態の液晶ディスプレイ２０１は、第１の実施の形態の液晶ディスプレイ１と同様に、パネル２０２の大きさを変えなくても解像度を上げることができる。
【００５４】
第３の実施の形態：
図８は、本発明の第３の実施の形態を示すコネクタ構造２３ｂの平面図である。このコネクタ構造２３ｂは、第１の実施の形態で説明した二つのコネクタ５、６から構成されており、双方のコネクタ５、６は、第１の実施の形態で説明した方法と同じような方法で配置されている。
【００５５】
かかる構成において、隣接するパッド１１０、１１０の重なり幅Ｗａは、第１の実施の形態で説明したように、Ｗ１＝２３μｍ、Ｗ２＝７μｍ、Ｗ３＝５μｍとすると、Ｗａ＝１１μｍとなるので、従来の重なり幅Ｗａ（２μｍ）よりも増加する。また、コネクタ５、６間のピッチＰの値は下記の式より得られる。
【数８】
2007041606.tif 000010
【００５６】
ここで、Ｗ２＝７μｍ、Ｗ３＝５μｍとすると、Ｐ＝１２μｍとなる。したがって、本実施の形態のコネクタ構造２３ｂでは、従来のコネクタ構造１２３ａに比べて、コネクタ５、６間のピッチＰの値が、従来の２１μｍから１２μｍに縮小できる。
【００５７】
このように、本実施の形態のコネクタ構造２３ｂでは、従来のコネクタ構造１２３ａに比べて、隣接するパッド１１０、１１０の重なり幅Ｗａが増加する。よって、本実施の形態のコネクタ構造２３ｂでは、二つのコネクタ５、６から構成しても、パッドの幅Ｗ１とストリップの幅Ｗ３を変えずにコネクタ５、６間の距離を維持した状態で、コネクタ５、６間のピッチＰを縮小できる。
【００５８】
第４の実施の形態：
図９は、本発明の第４の実施の形態を示すコネクタ構造２３ｃの平面図である。本実施の形態のコネクタ構造２３ｃは、二種類のコネクタ５０、６０から構成されている。
【００５９】
第１コネクタ５０は、パッド５００と、ストリップ５０１とから構成されている。パッド５００は角が丸い略長方形状に形成されている。そして、パッド５００の幅Ｗ１は、第１の実施の形態で説明したパッド１１０の幅Ｗ１と同じに設定されている。
【００６０】
また、ストリップ５０１は、パッド５００の一側面５００ａの一端部側から垂直に延出して形成されている。そして、ストリップ５０１の幅Ｗ３は、第１の実施の形態で説明したストリップ５１の幅Ｗ３（図３参照）と同じに設定されている。
【００６１】
また、第２コネクタ６０は、パッド５００と、ストリップ６０１とから構成されている。このストリップ６０１は、パッド５００の一側面５００ａの一端部側から垂直に延出しており、第１コネクタ５０のストリップ５０１よりも長く形成されている。また、このストリップ６０１の幅Ｗ３は、第１コネクタ５０のストリップ５０１の幅Ｗ３と同じに設定されている。
【００６２】
そして、第２コネクタ６０は、第１コネクタ５０と同じ方向に向いた状態で、パッド５００とストリップ６０１との間に、第１コネクタ５０の突出側５０ａが、所定の間隔Ｗ２、Ｗ４を開けて入るように配置されている。また、これらの間隔Ｗ２、Ｗ４は、第１の実施の形態で説明した間隔Ｗ２、Ｗ４（図３参照）と同じに設定されている。
【００６３】
さらに、ストリップ６０１は、第１コネクタ５０と第２コネクタ６０とが配置された状態で、その先端６０１ａが、第１コネクタ５０のストリップ５０１の先端５０１ａと揃うように形成されている。
【００６４】
かかる構成において、隣接するパッド５００、５００の重なり幅Ｗａの値は、第１の実施の形態で説明した「数５」で求めることができる。したがって、Ｗ１＝２３μｍ、Ｗ２＝７μｍ、Ｗ３＝５μｍとすると、Ｗａ＝１１μｍとなるので、本実施の形態の重なり幅Ｗａは、従来の重なり幅Ｗａ（２μｍ）よりも増加する。
【００６５】
また、コネクタ５０、６０間のピッチＰの値は、第３の実施の形態で説明した「数８」で求めることができる。したがって、Ｗ２＝７μｍ、Ｗ３＝５μｍとすると、Ｐ＝１２μｍとなり、従来のピッチＰ（２１μｍ）よりも縮小される。
【００６６】
したがって、本実施の形態のコネクタ構造２３ｃでは、従来のコネクタ構造１２３ａに比べて、隣接するパッド５００、５００の重なり幅Ｗａを増加させることができる。よって、本実施の形態のコネクタ構造２３ｃは、パッドの幅Ｗ１とストリップの幅Ｗ３を変えずに、コネクタ５００、６００間の距離を維持した状態で、コネクタ５０、６０間のピッチＰを縮小できる。この結果、パッド５００の形状は、第１の実施の形態〜第３の実施の形態で説明したパッド１１０の形状と同一でなくても良く、少なくとも幅Ｗ３が同じである略矩形状に形成すれば良い。
【００６７】
第５の実施の形態：
図１０は、本発明の第５の実施の形態を示す液晶ディスプレイ３０１の要部分解図である。なお、本実施の形態の液晶ディスプレイ３０１において、従来の液晶ディスプレイ１０１（図１１〜図１４参照）や第１の実施の形態の液晶ディスプレイ１（図１〜図５参照）と同じ部分には同じ符号を付し、異なる部分を中心にして説明する。
【００６８】
本実施の形態の液晶ディスプレイ３０１においては、駆動回路を構成しているゲートドライバ３０３およびデータドライバ３０４の底面に、それぞれ外部接続構造３０５が設けられている。この外部接続構造３０５は、ディスプレイ２側の外部接続構造２３と同様に複数のコネクタ構造２３ａから構成されている。そして、これらのコネクタ構造２３ａは、それぞれ、ディスプレイ２側のコネクタ構造２３ａと対応する位置に、ディスプレイ２側のコネクタ構造２３ａと点対称となるように配置されている。
【００６９】
かかる構成において、本実施の形態の液晶ディスプレイ３０１は、第１の実施の形態と同様のコネクタ構造２３ａを備えたディスプレイパネル２を用いたことにより、パネル２大きさを変えなくても解像度を上げることができる。
【００７０】
以上、本発明の好適な実施の形態を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【産業上の利用可能性】
【００７１】
以上説明したように、本発明のコネクタ構造、およびこれを備えたマトリクス型ディスプレイパネル、マトリクス型ディスプレイは、パッドの幅やストリップの幅を変えずに、コネクタ間の距離を維持した状態で、コネクタ間のピッチを縮小できるので、コネクタ構造を用いた技術分野で十分使用することができる。
【図面の簡単な説明】
【００７２】
【図１】本発明の第１の実施の形態を示す液晶ディスプレイの模式図である。
【図２】同実施の形態のディスプレイパネルと駆動回路との分解状態を示す模式図である。
【図３】同実施の形態のコネクタ構造の平面図である。
【図４】同実施の形態のディスプレイパネルと駆動回路との接続状態を示す模式図である。
【図５】同実施の形態のディスプレイパネルと駆動回路との接続状態を示す縦断面図である。
【図６】本発明の第２の実施の形態を示す液晶ディスプレイの模式図である。
【図７】同実施の形態のコネクタ構造の平面図である。
【図８】本発明の第３の実施の形態を示すコネクタ構造の平面図である。
【図９】本発明の第４の実施の形態を示すコネクタ構造の平面図である。
【図１０】本発明の第５の実施の形態を示すディスプレイパネルと駆動回路との分解状態を示す模式図である。
【図１１】従来の液晶ディスプレイの模式図である。
【図１２】図１１において表示部と駆動回路との接続関係を示す模式図である。
【図１３】図１１においてディスプレイパネルと駆動回路との分解状態を示す模式図である。
【図１４】図１３における従来のコネクタ構造の平面図である。
【符号の説明】
【００７３】
１    液晶ディスプレイ
２    ディスプレイパネル
３    ゲートドライバ
４    データドライバ
５    コネクタ
５ａ    突出側
６    コネクタ
６ａ    突出側
７    コネクタ
２３ａ    コネクタ構造
２３ｂ    コネクタ構造
２３ｃ    コネクタ構造
５０    コネクタ
５０ａ    突出側
５１    ストリップ
６０    コネクタ
６１    ストリップ
７１    ストリップ
１１０    パッド
１１１    パッド
１２２    表示部
２０１    液晶ディスプレイ
２０２    ディスプレイパネル
２０３    ゲートドライバ
２０４    データドライバ
３０１    液晶ディスプレイ
５００    パッド
５０１    ストリップ
６００    パッド
６０１    ストリップ
Ｄ    データライン
Ｇ    ゲートライン
Ｗ２    間隔
Ｗ４    間隔
【図１】
2007041606.tif 000011
【図２】
2007041606.tif 000012
【図３】
2007041606.tif 000013
【図４】
2007041606.tif 000014
【図５】
2007041606.tif 000015
【図６】
2007041606.tif 000016
【図７】
2007041606.tif 000017
【図８】
2007041606.tif 000018
【図９】
2007041606.tif 000019
【図１０】
2007041606.tif 000020
【図１１】
2007041606.tif 000021
【図１２】
2007041606.tif 000022
【図１３】
2007041606.tif 000023
【図１４】
2007041606.tif 000024